【手続補正書】
【提出日】平成16年3月29日(2004.3.29)
【手続補正１】
【補正対象書類名】明細書
【補正対象項目名】特許請求の範囲
【補正方法】変更
【補正の内容】
【特許請求の範囲】
【請求項１】
電気光学素子を駆動するドライバＩＣにおいて、
温度−電圧特性に従って電圧を出力する電源回路と、
前記電源回路からの出力電圧を可変する電子ボリュームと、
環境温度を検出する温度検出部と、
前記温度検出部にて検出される温度と対応する電子ボリューム制御値を記憶する補正テーブルと、
を有し、
前記電源回路は、
第１の温度−電圧特性を有する第１の電源回路と、
第２の温度−電圧特性を有する第２の電源回路と、
前記第１，第２の電源回路からの出力電圧に基づいて、所望の温度勾配を有する電圧特性に従った電圧を出力する温度勾配選択回路と、
を有し、
前記温度検出部は、前記第１，第２の温度−電圧特性に基づいて実温度を検出し、前記温度検出部にて検出された実温度に対応する前記補正テーブル内の前記電子ボリューム制御値に基づいて、前記電源回路からの出力電圧を前記電子ボリュームにて調整して出力することを特徴とするドライバＩＣ。
【請求項２】
電気光学素子を駆動するドライバＩＣにおいて、
電子ボリュームにより発振周波数が可変である発振器と、
環境温度を検出する温度検出部と、
前記温度検出部にて検出される温度と対応する電子ボリューム補正値を記憶する補正テーブルと、
を有し、
前記発振器は、前記温度検出部にて検出された実温度に対応する前記補正テーブル内の前記電子ボリューム補正値に基づいて前記電子ボリュームが調整されることで、発振周波数が可変であることを特徴とするドライバＩＣ。
【請求項３】
電気光学素子を駆動するドライバＩＣにおいて、
発振器と、
前記発振器からの発振周波数に基づいて階調用クロックを生成する階調用クロック生成部と、
前記階調用クロック生成部からの前記階調用クロックに基づいて、階調値に応じてパルス幅が異なる複数の階調パルスを発生する階調パルス発生部と、
環境温度を検出する温度検出部と、
前記温度検出部にて検出される温度と対応する階調パルス幅補正値を記憶する補正テーブルと、
を有し、
前記階調パルス発生部は、前記温度検出部にて検出された実温度に対応する前記補正テーブル内の前記階調パルス幅補正値に基づいて、前記複数の階調パルスのパルス幅を可変することを特徴とするドライバＩＣ。
【請求項４】
請求項１乃至３のいずれかに記載のドライバＩＣと、
前記ドライバＩＣにより駆動される電気光学素子を有するパネルと、
を有することを特徴とする電気光学装置。
【請求項５】
第１の基板と第２の基板との間に電気光学素子を有するパネルと、
前記第１の基板に搭載され、前記電気光学素子を駆動するドライバＩＣと、
を有し、
前記ドライバＩＣは、
環境温度を検出する温度検出部と、
前記温度検出部にて検出された実温度に基づいて、前記電気光学素子の駆動に必要な温度補償を実施する温度補償回路と、
を有し、
前記第１，第２の基板には前記電気光学素子と対向して配置される第１，第２の電極が形成され、前記第１，第２の電極の少なくとも一方は、前記第１の基板に搭載される前記ドライバＩＣの端子と接続され、かつ、前記端子位置を越えて前記ドライバＩＣの裏面まで延在形成される冗長部分を有することを特徴とする電気光学装置。
【請求項６】
請求項４または５に記載の電気光学装置を有することを特徴とする電子機器。
【手続補正２】
【補正対象書類名】明細書
【補正対象項目名】０００９
【補正方法】変更
【補正の内容】
【０００９】
【課題を解決するための手段】
本発明の一形態によれば、電気光学素子を駆動するドライバＩＣは、温度−電圧特性に従って電圧を出力する電源回路と、この電源回路からの出力電圧を可変する電子ボリュームと、環境温度を検出する温度検出部と、この温度検出部にて検出される温度と対応する電子ボリューム制御値を記憶する補正テーブルとを有する。電源回路は、第１の温度−電圧特性を有する第１の電源回路と、第２の温度−電圧特性を有する第２の電源回路と、第１，第２の電源回路からの出力電圧に基づいて、所望の温度勾配を有する電圧特性に従った電圧を出力する温度勾配選択回路とを有する。温度検出部は、第１，第２の温度−電圧特性に基づいて実温度を検出する。この温度検出部にて検出された実温度に対応する補正テーブル内の電子ボリュームスイッチ制御値に基づいて、電源回路からの出力電圧を電子ボリュームにて調整して出力する。これにより、例えば、低温、常温、高温領域でそれぞれ異なる温度勾配を持たせたり、あるいは直線補間以外の曲線補間など、電気光学素子の温度依存性に合致した印加電圧補正を実現できる。


【手続補正３】
【補正対象書類名】明細書
【補正対象項目名】００２３
【補正方法】変更
【補正の内容】
【００２３】
第１の電源回路３０Ａは、図４に示す第１の温度勾配（例えば−０．２％／℃）の温度−電圧特性に従って変化する電圧Ａを出力する。一方、第２の電源回路３０Ｂは、図４に示す第２の温度勾配（例えば−０．５％／℃）の温度−電圧特性に従って変化する電圧Ｂを出力する。そして、温度勾配選択回路３６は、図４に示す第１，第２の温度勾配の電圧Ａ，Ｂ間の所望の温度勾配の電圧Ｃを選択して出力する。


【手続補正４】
【補正対象書類名】明細書
【補正対象項目名】００３１
【補正方法】変更
【補正の内容】
【００３１】
この第１の電子ボリュームスイッチＳＷ２の後段に設けられた電圧生成回路４０は、第１の電子ボリュームスイッチＳＷ２を介して電圧が入力される第４のアンプ４２と、その出力線とグランドとの間に接続された抵抗Ｒ５とを有する。そして、第４のアンプ４２の出力が電圧ＶCLDとされ、その電圧が抵抗Ｒ５を用いて抵抗分割されることで各電圧Ｖ１〜Ｖ４が生成される。


【手続補正５】
【補正対象書類名】明細書
【補正対象項目名】００３９
【補正方法】変更
【補正の内容】
【００３９】
図５は、第１の電子ボリュームスイッチ制御部１３０により制御された第１の電子ボリュームスイッチＳＷ２からの出力に基づいて得られる液晶印加電圧ＶCLDの温度依存特性を示している。図５は、液晶電圧ＶCLDは低温領域Ｔａ、中間温度領域Ｔｂ，高温領域Ｔｃにて異なる温度勾配を有する温度依存特性を示している。このために、中間温度領域Ｔｂは、原則として温度勾配選択レジスタ３８からの出力に基づく温度勾配選択スイッチＳＷ１及び第１のレジスタ１３４からの出力に基づく第１の電子ボリュームスイッチＳＷ２によって決定されている。低温領域Ｔａ及び高温領域Ｔｃは、さらに第１の補正テーブル１３２からの出力によって制御される第１の電子ボリュームスイッチＳＷ２によって設定される。低温領域Ｔａは、低温になるほど、第１の電子ボリュームスイッチＳＷ２にて選択される抵抗Ｒ４Ｂの抵抗値が小さく設定される（スイッチＳＷ２の接点を第３のアンプ１１０出力側に近づける）。これに対して、高温領域Ｔｃでは、高温になるほど、抵抗Ｒ４Ｂの抵抗値が大きく設定される（スイッチＳＷ２の接点をグランドＧＮＤ側に近づける）。


【手続補正６】
【補正対象書類名】明細書
【補正対象項目名】００４０
【補正方法】変更
【補正の内容】
【００４０】
これにより、２種の温度勾配特性を持つ電源回路３０の出力電圧から、液晶パネル１０固有の温度依存性を有する液晶印加電圧ＶＬＣＤ，Ｖ１〜Ｖ４を生成することができる。


【手続補正７】
【補正対象書類名】明細書
【補正対象項目名】００４２
【補正方法】変更
【補正の内容】
【００４２】
（フレーム周波数補正回路について）
容量Ｃと抵抗Ｒ６とを有するＣＲ発振回路６０は、第２の電子ボリュームスイッチＳＷ５によって、発振回路６０に接続される抵抗Ｒ６の抵抗値を可変することで発振周波数（フレーム周波数）が可変である。なお、発振回路６０として可変容量型を用いることもできる。


【手続補正８】
【補正対象書類名】明細書
【補正対象項目名】００４３
【補正方法】変更
【補正の内容】
【００４３】
図２に示すように、温度検出部１２０にて検出された実温度に基づいて、第２の電子ボリュームスイッチＳＷ５を制御する、第２の電子ボリュームスイッチ制御部１４０が設けられている。この第２の電子ボリュームスイッチＳＷ５は、液晶パネルメーカの希望により補正値が設定される例えばＲＯＭにて形成される第２の補正テーブル１４２と、液晶パネルメーカの希望により設定された第２の電子ボリュームスイッチＳＷ５の制御基準値が格納された第２のレジスタ１４４と、それら両者のディジタル値を加算して出力する第２の加算器１４６とを有する。